(57)【要約】【課題】設置した温水暖房用配管の長さ方向に沿った任意の部分だけ信号線を配置することができ、移送される温水の熱によって往き管または戻り管が伸縮する場合であっても、配置された信号線が断線することを防止することができる温水暖房用配管を提供する。【解決手段】往き管６と戻り管７とを一対として束ねた通水管をさや管９の内部に配置した温水暖房用配管２である。さや管９の外面には浴室暖房乾燥システム１を制御するための信号線１４が収容される凹部１５が形成される。【選択図】図２
2013167261.tif 000002
【特許請求の範囲】
【請求項１】
通水のための往き管と戻り管とを一対とした通水管をさや管の内部に配置した温水暖房用配管において、さや管の外面には温水暖房システムを制御するための信号線が収容される収容部が形成されることを特徴とする温水暖房用配管。
【請求項２】
さや管は複数の山部と谷部とが交互に形成された蛇腹状に形成されており、収容部は複数の山部にわたってさや管の長さ方向に形成される凹部であることを特徴とする請求項１に記載の温水暖房用配管。
【発明の詳細な説明】
【技術分野】
【０００１】
本発明は、暖房に供されるために熱源機で暖められた温水を移送させるための温水暖房用配管に関する。
【背景技術】
【０００２】
特許文献１には、熱源機で暖めた温水を床下に移送して床暖房をする温水暖房システムが記載されている。特許文献１に記載されているところの、温水を移送する温水暖房用配管３１の構成を、図６に示す。３２は往き管、３３は戻り管で、これら往き管３２と戻り管３３とは、架橋ポリエチレン管で形成され、隣り合って並んだ状態でテープ３４で巻かれて束ねられる。テープ３４としてはアルミ箔とポリエチレンテレフタレート層とが積層されたものが用いられる。
【０００３】
束ねられた往き管３２と戻り管３３との横断面は８の字形であり、テープ３４は、巻き姿の横断面が長円形となるように、往き管３２と戻り管３３とを束ねる。束ねられたときの横断面が８の字形の往き管３２・戻り管３３と巻き姿の横断面が長円形のテープ３４との間には、横断面が略三角形である２つの空間３５、３５が形成される。空間３５、３５のうちのどちらか一方に、ガス温水暖房システムを制御するための信号線３６が配置される。信号線３６が配置されテープ３４で巻き束ねられた往き管３２と戻り管３３とは、ポリエチレン製の蛇腹管であるさや管３７の内部に挿通される。
【先行技術文献】
【特許文献】
【０００４】
【特許文献１】特開平１１−１０８２９０号公報
【発明の概要】
【発明が解決しようとする課題】
【０００５】
特許文献１に記載の温水暖房用配管３１では、架橋ポリエチレン管で形成された往き管３２と戻り管３３とが、移送される温水の熱によって伸縮するとき、銅製の導線を含み空間３５に配置された信号線３６は、往き管３２と戻り管３３とに追随して伸縮することができず断線することがある。
【０００６】
また、信号線３６は、予め空間３５に配置された状態で往き管３２・戻り管３３とともにさや管３７の内部に挿通されるので、往き管３２・戻り管３３と一体化された状態となっている。このため、設置された温水暖房用配管３１の長さ方向に沿った任意の一部分だけに信号線３６を配置することができない。
本発明の目的は、このような課題を解決するもので、設置した温水暖房用配管の長さ方向に沿った任意の部分だけ信号線を配置することができ、移送される温水の熱によって往き管または戻り管が伸縮する場合であっても、配置された信号線が断線することを防止することができる温水暖房用配管を提供することである。
【課題を解決するための手段】
【０００７】
この課題を解決するために請求項１に係る発明は、通水のための往き管と戻り管とを一対とした通水管をさや管の内部に配置した温水暖房用配管において、さや管の外面には温水暖房システムを制御するための信号線が収容される収容部が形成されるものである。
【０００８】
請求項２に係る発明では、さや管が複数の山部と谷部とが交互に形成された蛇腹状に形成されており、収容部は複数の山部にわたってさや管の長さ方向に形成される凹部である。
【発明の効果】
【０００９】
信号線は、さや管の外面に形成された収容部に収容されるだけで、何物にも拘束されずにさや管の外面に沿って設置することができ、また、さや管の外面から自由に取り外すことができる。このため、設置した温水暖房用配管の長さ方向に沿った所要の部分だけ信号線を配置することができる。また、信号線は何物にも拘束されずに収容部に収容されているだけであるため、移送される温水の熱によって往き管または戻り管が伸縮する場合であっても、配置された信号線が断線することを防止することができる。
【図面の簡単な説明】
【００１０】
【図１】本発明の第１の実施の形態に係る浴室暖房乾燥システムの構成を示す概略図である。
【図２】温水暖房用配管の構造を示す図である。
【図３】さや管の構造を示す図である。
【図４】本発明の第２の実施の形態に係る温水暖房用配管の構造を示す断面図である。
【図５】本発明の第３の実施の形態に係る温水暖房用配管の断面図である。
【図６】従来の温水暖房用配管の構造を示す図である。
【発明を実施するための形態】
【００１１】
以下、本発明の第１の実施の形態について図１〜図３に基づいて説明する。図１は浴室暖房乾燥システム１の構成を示す概略図である。図２（ａ）は図１における温水暖房用配管２の横断面図である。図２（ｂ）は温水暖房用配管２の構造を示す図である。図２（ｃ）は信号線１４が収容された凹部１５の詳細図である。図３（ａ）はさや管９の横断面図である。図３（ｂ）はさや管９の構造を示す図である。
【００１２】
図１に示される浴室暖房乾燥システム１は、前述の床暖房の設備と同様に本発明の温水暖房用配管２が用いられるものであるが、熱源機３で加熱された温水を利用して浴室４に温風を送り、浴室４の暖房や浴室４に干した洗濯物の乾燥を行う。温水は温水暖房用配管２を介して浴室暖房乾燥機５に送られる。なお１９はリモコンであり、２０は漏電ブレーカに接続される電気配線である。
【００１３】
温水暖房用配管２は、図２（ａ）（ｂ）に示すように、熱源機３からの温水を浴室暖房乾燥機５に供給する往き管６と、浴室暖房乾燥機５の内部を循環した水を熱源機３に戻す戻り管７とを備える。往き管６・戻り管７として架橋ポリエチレン管が用いられる。往き管６と戻り管７とは、隣り合わせに並んだ状態でテープ８が巻かれて束ねられる。テープ８として、アルミ箔とポリエチレンテレフタレート層とが積層されたものなどが好適に用いられる。テープ８で束ねられた往き管６と戻り管７とは、さや管９に収納される。
【００１４】
さや管９として、横断面が長円形に形成されたポリエチレン製のＣＤ管が用いられる。さや管９は、壁部１０が、複数の山部１１と谷部１２とが交互に形成された蛇腹状に形成されており、施工時などに踏まれても潰れにくい強度と、引き回しを容易に行うことができる可撓性とを備えている。
【００１５】
温水暖房用配管２には、浴室４を所望の温度に維持するために浴室暖房乾燥機５から熱源機３に指令を送る信号線１４が設置される。信号線１４は、さや管９の外面に形成された凹部１５に収容される。図３（ａ）に示すように、凹部１５は、さや管９の長円形の横断面において、長円を形成する２つの円弧１６，１６に挟まれた直線部１７の中央部において、さや管９の軸心１８に沿って形成される。凹部１５は、軸心１８方向に沿って複数が形成された山部１１に各々形成される。
【００１６】
凹部１５は横断面がＵ字状とされ、底面が谷部１２と面一となるように形成されているが、これに限定されるものではない。面一の場合には、谷部に対する山部１１の高さが凹部１５の深さになる。凹部１５の幅Ｗは、信号線１４を凹部１５に容易に押し込んで、押し込んだ信号線１４を凹部１５に確実に保持することができる幅とされる。凹部１５はさや管９を成型するときに一体的に成型することができる。このため製造のコストダウンを図ることができる。また、凹部１５はさや管９の外面に形成されるので、作業者は、温水暖房用配管２の設置中はもちろん、その設置後にも信号線１４を配置することができる。
【００１７】
テープ８で束ねられた往き管６・戻り管７と、さや管９との間には、隙間が設けられ空気の層１３が形成されるので、温水の熱は往き管６・戻り管７の外部に放出されにくく、したがって、さや管９が温水の熱を受けて熱膨張し凹部１５に設置された信号線１４が断線することを効果的に防止することができる。
【００１８】
図示の例では、信号線１４は、さや管９の全長に亘って凹部１５に収容されているが、これに限定されるものではなく、さや管９の全長に亘って形成された凹部１５のうち必要な一部分のみに嵌め込むこともできる。図示の例では、凹部１５はさや管９の直線部１７中央に形成されているが、凹部１５が形成される位置は直線部１７の中央に限定されるものではなく所望の位置に形成することができる。
【００１９】
図４は第２の実施の形態に係る凹部２１の断面図である。第１の実施形態の説明と重複する部分については説明を省略し同一の参照符を用いる。信号線１４が収容される凹部２１は、開口部２２の幅Ｗ１が奥側の幅Ｗ２よりも狭い断面Ｃ字状に形成されている。開口部２２の幅Ｗ１は３本束ねた信号線１４のサイズよりも僅かに狭く形成されており、作業者は開口部２２を弾性変形させて押し広げるようにして信号線１３を凹部２１に嵌め込む。信号線１４が嵌め込まれた開口部２２の幅は、信号線１４よりも幅狭なＷ１に戻るので、凹部２１に収容された信号線１４が凹部２１から抜け出ることを効果的に防止することができる。
【００２０】
図５は本発明の第３の実施の形態に係る温水暖房用配管２５の断面図である。第１の実施形態または第２の実施形態の説明と重複する部分については説明を省略し同一の参照符を用いる。本実施の形態に係るさや管２６の横断面は円形である。さや管２６の横断面が円形の場合には、テープ８で束ねられた往き管６・戻り管７と、さや管２６との間に形成される空気の層２７が広くなるので、さや管２６が温水の熱を受けて熱膨張し凹部２８に係止された信号線１４が断線することをいっそう防止することができる。
【００２１】
以上においては熱源機３で加熱された温水を浴室暖房乾燥機５に送る温水暖房用配管２に信号線１４を配置する場合について説明したが、本発明はこれに限定されるものではない。たとえば、熱源器で暖めた温水を床下に移送して床暖房をする温水暖房用配管であってもよい。
【００２２】
このように、往き管６と戻り管７とを一対としてテープ８を巻いて束ねた通水管をさや管９の内部に配置した温水暖房用配管２において、温水暖房システムである浴室暖房乾燥システム１を制御するための信号線１４は、さや管９の外面に形成された凹部１５に収容されるだけであるので、設置した温水暖房用配管２のうちその長さ方向に沿った任意の部分だけ信号線１４を配置することができる。また、往き管６と戻り管７は、信号線１４を収容したさや管９の内部に通されているだけであるため、移送される温水の熱によって往き管６または戻り管７が伸縮する場合であっても、その伸縮力はさや管９および信号線１４には伝わらないため、さや管９に配置された信号線１４が断線することを防止することができる。
【００２３】
さらに、さや管９は複数の山部１１と谷部１２とを交互に有する蛇腹状に形成されており、凹部１５は山部１１に形成されるので、施工時などに踏まれても潰れにくい強度と、引き回しを容易に行うことができる可撓性とを備えたさや管９に凹部１５を一体成型してコストダウンを図ることができる。
【符号の説明】
【００２４】
１    浴室暖房乾燥システム
２，２５    温水暖房用配管
３    熱源機
４    浴室
５    浴室暖房乾燥機
６    往き管
７    戻り管
８    テープ
９，２６，３７    さや管
１０    壁部
１１    山部
１２    谷部
１３，２７    空気の層
１４    信号線
１５，２１，２８    凹部
１６    円弧
１７    直線部
１８    軸心
１９    リモコン
２０    電気配線
２２    開口部
【図１】
2013167261.tif 000003
【図２】
2013167261.tif 000004
【図３】
2013167261.tif 000005
【図４】
2013167261.tif 000006
【図５】
2013167261.tif 000007
【図６】
2013167261.tif 000008